(57)【要約】  【課題】引出しを収納すれば各引出しがガタツキなく自然と配列し、整然とした外観を呈するとともに、引出しを押し込む際の使用感も良好となる新規有用な引出し付整理箱を提供する。【解決手段】頂板２、底板３及び左右の側板１を具備する筐体Ａの内部に収納空間Ｓを形成し、この収納空間Ｓに引出し５を出し入れ可能に支持させたものである。そして、側板１の前端面１００ａの少なくとも一部に、側板１の外面側から内面側に向けて斜め後方に傾斜する傾斜面１００ａを形成するとともに、引出し５の鏡板５３の左右両端部における背面側に、前記傾斜面１００ａと平行をなす傾斜面５６を形成し、引出し５を押し込んだ際にこれらの傾斜面１００ａ、５６同士を当接させて、鏡板５３の前面を前方に表出する左右の側板１の前端面１００ａ、１００ａ間に位置づけるようにした。  【選択図】図２
2006271556.tif 000002
【特許請求の範囲】
【請求項１】
少なくとも頂板、底板及び左右の側板からなる筐体の内部に収納空間を形成し、この収納空間に引出しを出し入れ可能に支持させてなる引出し付整理箱であって、
前記側板の前端面の少なくとも一部に、当該側板の外面側から内面側に向けて斜め後方に傾斜する傾斜面を形成するとともに、引出しの鏡板の左右両端部における背面側に、前記傾斜面と平行をなす傾斜面を形成し、引出しを押し込んだ際にこれらの傾斜面同士を当接させて、鏡板の前面を前方に表出する左右の側板の前端面間に位置づけてなることを特徴とする引出し付整理箱。
【請求項２】
側板を、硬質素材からなる側板部材と、この側板部材の前縁に沿って取り付けた軟質素材からなる平断面略三角形状の当接部材とから構成し、この当接部材の傾斜面に硬質素材からなる引出しの傾斜面を当接させるようにしている請求項１記載の引出し付整理箱。
【請求項３】
引出しを、硬質素材からなる引出し本体と、この引出し本体の左右両端部における背面に取り付けた軟質素材からなる平断面略三角形状の当接部材とから構成し、この当接部材の傾斜面を硬質素材からなる側板の傾斜面に当接させるようにしている請求項１記載の引出し付整理箱。
【請求項４】
上記硬質素材と軟質素材は樹脂である請求項２又は３記載の引出し付整理箱。
【発明の詳細な説明】
【技術分野】
【０００１】
本発明は、オフィス等において好適に使用される引出し付整理箱に関するものである。
【背景技術】
【０００２】
この種の引出し付整理箱として、例えば特許文献１等に示すものが知られている。このものは、左右の側板の間を頂板で接続した金属素材からなる収納装置本体の側板の内面に樹脂製のレール部材を配置し、これら左右のレール部材に上下非対称な形態をなすレールを鏡面対称となるように複数段に亘り列設して、収納装置本体に底板及び背板を嵌め合わせて筐体を構成している。そして、同じ段に位置することとなる左右のレール間に引出しを支持させて引出し付整理箱としての利用を可能にしている。収納装置本体の側板は、前方にレール部材の厚みに対応させて直角に折り曲げ形成した前端面が設けてあり、引出しの左右両端部はこれに前後方向に重合することなく、左右の側板の内方に入り込んで内面間に収まった状態で収納されるようになっている。
【特許文献１】実公平６−３６７６６号公報
【発明の開示】
【発明が解決しようとする課題】
【０００３】
ところが、このようなものであると、引出しのレールに対する遊びから、押し込んだ際に引出しと側板のクリアランスが必ずしも一定とはならず、引出しの鏡板の位置が左右にずれて不揃いになり易い。特に引出しの一部に把手が設けてあると、把手が目立ちやすいために全体とし乱雑な感を助長することとなる。しかも、引出しは硬質樹脂で作られるのが通例であり、かたや収納装置本体は金属製であるため、引出しの鏡板が収納家具本体の側板に衝突して安っぽい異音を発するという問題もある。
【０００４】
本発明は、このような課題を好適に解決した引出し付整理箱を提供することを目的としている。
【課題を解決するための手段】
【０００５】
本発明は、かかる目的を達成するために、次のような手段を講じたものである。
【０００６】
すなわち、本発明の引出し付整理箱は、少なくとも頂板、底板及び左右の側板からなる筐体の内部に収納空間を形成し、この収納空間に引出しを出し入れ可能に支持させてなる引出し付整理箱であって、前記側板の前端面の少なくとも一部に、当該側板の外面側から内面側に向けて斜め後方に傾斜する傾斜面を形成するとともに、引出しの鏡板の左右両端部における背面側に、前記傾斜面と平行をなす傾斜面を形成し、引出しを押し込んだ際にこれらの傾斜面同士を当接させて、鏡板の前面を前方に表出する左右の側板の前端面間に位置づけてなることを特徴とする。
【０００７】
このようなものであると、引出しを押し込む際に、傾斜面によるガイド作用によって引出しが筐体の中心部に誘導されるため、無造作に操作しても複数の引出しを整然と配列することができ、しかも傾斜面同士がテーパ係合するため、ガタつきのない良好な収納状態を得ることができる。その上、引出しを押し込んでも左右の側板の前端面が前方に表出した状態にあるため、押し込み位置が一目で了知でき、出し入れ操作を的確な操作感の下に行うことが可能となる。
【０００８】
使用感を良好なものにするためには、側板を、硬質素材からなる側板部材と、この側板部材の前縁に沿って取り付けた軟質素材からなる平断面略三角形状の当接部材とから構成し、この当接部材の傾斜面に硬質素材からなる引出しの傾斜面を当接させるようにしていることが望ましい。
【０００９】
或いは、他の構成としては、引出しを、硬質素材からなる引出し本体と、この引出し本体の左右両端部における背面に取り付けた軟質素材からなる平断面略三角形状の当接部材とから構成し、この当接部材の傾斜面を硬質素材からなる側板の傾斜面に当接させるようにしているものが挙げられる。
【００１０】
量産性を向上するためには、上記硬質素材と軟質素材を樹脂製のものとしておくことが望ましい。
【００１１】
なお、本発明でいう「硬質素材」と「軟質素材」は、一方が他方より相対的な硬度の差があればよく、軟質素材側と硬質素材側とが当接するときに軟質素材側が衝突を吸収して操作感を向上させ、これにより前記課題を解決する硬度の差を有することを想定している。
【発明の効果】
【００１２】
本発明は、以上のような構成であるから、引出しを収納すれば各引出しがガタツキなく自然と配列し、整然とした外観を呈するとともに、引出しを押し込む際の使用感も良好となる新規有用な引出し付整理箱を提供することが可能となる。
【発明を実施するための最良の形態】
【００１３】
以下、本発明の一実施形態を、図面を参照して説明する。
この実施形態の引出し付整理箱は、図１及び図２に示すように組立式のもので、硬質樹脂素材からなる側板部材１０を主体とする左右の側板１に同じく硬質樹脂素材からなる頂板２、底板３及び背板４を相互に組み付けることによって筐体Ａを構成し、この筐体Ａ内に形成される収納空間Ｓに引出し５を、左右の側板１に設けたレール１１、１２を介して支持させるようにしている。
【００１４】
具体的に説明すると、側板１はその上縁近傍及び下縁近傍における奥行き方向間欠位置に、図２、図３及び図５に示すように階段状に内空を狭めながら上下方向に貫通する略矩形状の係合孔１３ａを有するブロック体状の突起１３を上縁と下縁で逆向きとなるように設けたもので、この係合孔１３ａに頂板２及び底板３の対応部位に垂下させ或いは突出させて設けた係合部２３、３３を図４及び図６に示すように離脱し得ない状態で差し込んで係合させるようにしている。係合部２３、３３は、図３及び図５に示すように、板状をなすベース２３ａ、３３ａに３条の爪２３ｂ、３３ｂを平行に形成したもので、奥行き方向に沿って突起１３の１つおきに、真ん中の爪２３ｂ、３３ｂから下方又は上方に延出する鉤状部２３ｃ、３３ｃを延出させている。そして、鉤状部２３ｃ、３３ｃのない爪２３ｂ、３３ｂは図４（ｂ）及び図６（ｂ）に示すように単に係合孔１３ａの内部に収まった状態に止どまるのに対して、鉤状部２３ｃ、３３ｃのある爪２３ｂ、３３ｂは図４（ａ）及び図６（ａ）に示すように係合孔１３ａを通過した位置で開口縁に係合して係合部２２，３３が係合孔１３ａから抜脱するのを禁止する戻り止めの役割を果たしている。
【００１５】
一方、側板１には、図２に示すようにそれらの上縁近傍及び側縁近傍に被係合部１ｘが設けてあり、これらの被係合部１ｘに、頂板２及び底板３の外側面における対応部位に設けた係合部２ｘ、３ｘを係合させて、側板１と頂板２、側板１と底板３をそれぞれ分離し得ないように組み付けるようにしている。また、側板１及び頂板２には、それらの後縁近傍に別異の被係合部１ｙ、２ｙが設けてあり、これらの被係合部１ｙ、２ｙに、背板４の対応部位に設けた係合部４ｙを係合させて、側板１と背板４、頂板２と背板４をそれぞれ分離し得ないように組み付けるようにしている。図示しないが、底板３と背板４における関係も同様である。分離し得ないようにとは、特殊な工具等を用いなければ分離することが困難な程度を言う。このような構造は、例えば、組をなす係合部若しくは被係合部の一方が経過的に弾性変形して係合の深い位置で復元し、再び工具を用いて弾性変形させなければ係合が解除し得ないような適宜の構成によって容易に実現することができる。
【００１６】
次に正面視左側の側板１に着目すると、図２及び図７（ａ）に示すように、レール１１はその前端側に上方に向けて起立しそこから前方に向けて部分円弧状に湾曲する膨出部１１ａを有し、レール１２はその前端側に下方に向けて垂下しそこから前方に向けて湾曲する膨出部１２ａを有したもので、これらを高さ方向に交互に配置している。この左側の側板１を上下倒置して右側の側板１として使用するとき、図２に示すように左側に位置する側板１のレール１１の対応部位に右側の側板１のレール１２が、また左側に位置する側板１のレール１２の対応部位に右側の側板１のレール１１がそれぞれ同一高さで対峙して、これら左右のレール１１、１２同士、レール１２，１１同士が鏡面対称をなすように構成している。このとき、左側のレール１２と右側のレール１１が図９に示すように実際に引出し５を支持する「使用されるレール」となり、左側のレール１１と右側のレール１２が「使用されないレール」となる。
【００１７】
そして、本実施形態では、使用されるレール１１（１２）と使用されないレール１２（１１）の前端部間及び後端部間を図２及び図７等に示すようにリブ１５ａ、１５ｂによって接続しており、このうちのリブ１５ｂを筐体Ａの嵌め合い構造の一部として利用している。具体的には、後端部のリブ１５ｂの後面における上端近傍部及び下端近傍部に後方に向けて突起１５ｃを設け、この突起１５ｃに背板４の対応位置に設けたボス穴４５ｃを係合させるようにしている。これらと同様に、頂板２及び底板３にも突起２５ｃ、３５ｃを設け、背板４の対応部位にボス穴４５ｃを設けている。
【００１８】
一方、引出し５は、図１及び図２に示すように、左右の側板５１の間を底板５２、鏡板５３及び後板５４で接続した硬質樹脂素材からなる扁平箱状の引出し本体５ａを主体とするもので、この引出し本体５ａの側板５１の外面に前後方向に延びて本発明の突起部として機能する突条５１ａを設けるとともに、鏡板５３の前方に把手５５を突設している。引出し本体５ａの側板５１の外面は、図９に示すように左右の側板１の内面に形成したレール１１，１２と干渉しない状態に配置され、この引出し本体５ａの側面から外方に突出する前記突条５１ａを対応する左側の側板１のレール１２と右側の側板１のレール１１の上に添接支持させるようにしている。なお、引出し５の突条５１ａの後端近傍の下方には、図２及び図１４に示すように、引出し５を引き出した際にレール１２（１１）の膨出部１２ａ（１１ａ）の後向面に当接して抜け止めを図る突起５１ｂが設けてある。引出し５は突条５１ａの前端側の下面がレール１２，１１の膨出部１２ａ（１１ａ）の上面に支持され、後端側を突起５１ｂの下面を介してレール１２（１１）の平坦部の上面に支持される。引出し５を抜き取る際は、持ち上げて突条５１ａ及び突起５１ｂをレール１２（１１）とその上段側に位置するレール１１（１２）との隙間に通さない限りこれらのレール１１，１２間から外れない構造となっている。また、引出し５には、前記突起５１ｂの更に後下方に突起５１ｃが設けてあるが、この突起５１ｃは引出し５を最大限に引き出した際にレール１２（１１）の下面に添接して引出し２の前垂れを防止する役割を果たすものである。この突起５１ｂは、レール１１，１２の前端部間を接続するリブ１５ａの突出量の少ない部分（図１４における符号１５ａｘ部分）から挿脱される。
【００１９】
ところで、この引出し付整理箱は、前記筐体Ａの開口縁に位置することとなる頂板３及び左右の側板２の各縁部に図２に示す薄板素材を塑性変形加工した補強材６、７を付帯させ、これらを嵌め合わせる際に、コーナー部において相隣接する補強材６，７同士を相互に係わり合わせることによって、補強材全体を３辺において連なった状態にしている。
【００２０】
具体的に説明すると、補強材６は、図２、図７（ａ）、図９及び図１１に示すように、水平板部６１の左右両端部に垂下片６２を連設したもので、図７（ｂ）に示すように当該補強材６の長手方向に沿った仮想軸回りに水平板部６１を回転させて頂板２に非平行となる姿勢に保持した状態で、水平板部６１の前縁を頂板２の下面に設けた差込部２６ａに差し込み、その位置で図７（ｃ）に矢印で示すように頂板２に対し平行となる位置まで回転させることによって、水平板部６１の後向面６１aを頂板２の下面に設けた突起２６ｂの内側に圧入して密着状態で装着するようにしている。
【００２１】
一方、補強材７は、図２、図７（ａ）、図８〜図１２に示すように、上下両端部に屈曲部７ａ，７ｂを設けたもので、側板１の内面に上下に離間させて設けた袋状の差込部１７ａ、１７ｂに補強材７を、上端部７ａ（図９中矢印参照）→下端部７ｂ（図１０中矢印参照）の順でけんどん方式により差し込み、差し込み終えた段階で当該補強材７の中間部に設けたテーパ状をなす窓７ｃ（図７（ａ）、図８参照）に側板１の内面に設けた突起１７ｃを楔作用によって食い込ませるようにしている。
【００２２】
そして、図３に矢印で示すように頂板２に垂下させて設けた係合部２３を側板１の対応位置に設けた係合孔１３ａに差し込んで係合させる際、補強材６の垂下片６２を図１１に矢印で示すように側板１の対応位置に設けた挿通孔１８に挿し通すことによって、補強材６の頂板２に対する逆回転をこの挿通孔１８を囲繞する周壁によって禁止しつつ図７（ａ）及び図９に示すように前記垂下片６２を補強材７の上端側の屈曲片７ａに厚み方向に重合させるようにしている。
【００２３】
上記補強材６は、その水平板部６１の大半が頂板２の下面に凹設した差込部２６ａに収容され、垂下片６２も挿通孔１８に入り込んで、正面から殆ど視認されない状態となる。補強材７も、その屈曲部７ａ、７ｂが差込部１７ａ、１７ｂに入り込み、中央部分が側板１のリブ１５ａ及びその前方に立設したリブ１５ｃの間に形成される溝に入り込んで、前方から殆ど視認されない状態となる。
【００２４】
また、この引出し付整理箱は、図２に示すように、前記筐体Ａの開口縁に位置することとなる底板３の端部近傍にも薄板素材を塑性変形加工した補強材８を付帯させており、コーナー部において相隣接する補強材７，８同士を相互に係わり合わせるようにしている。
【００２５】
具体的に説明すると、補強材８は、図２、図８、図１０及び図１２に示すように、水平板部８１から起立片８２をアングル状に起立させたもので、水平板部８１を図１２に示すように底板３に設け差込部３８に小口方向から差し込み、起立片８２を底板３から起立させるようにしている。
【００２６】
そして、図５に矢印で示すように底板３に突出させて設けた係合部３３を側板１の対応位置に設けた係合孔１３ａに差し込んで係合させる際、補強材８の起立片８２を図１２に矢印で示すように側板１の対応位置に設けた挿通孔１８に挿し通すことによって、図８及び図１０に示すように前記起立片８２を補強材７の下端側の屈曲片７ｂに厚み方向に重合させるようにしている。
【００２７】
補強材８は、その水平板部８１が底板３の厚み内に入り込み、起立片８２も側板１の挿通孔１８に入り込んで、前方から殆ど視認されない状態となる。
【００２８】
さらに、この実施形態は、引出し５を筐体Ａの収納空間Ｓに適切に押し込むことを可能にするために、図２及び図１３に示すように、前記筐体Ａの側板１を構成する側板部材１０の前縁に沿って軟質樹脂素材からなる平断面略三角形状の当接部材１００を取り付け、この当接部材１００によって側板１の前端面１００ａに当該側板１の外面１ｐ側から内面１ｑ側に向けて斜め後方に傾斜する傾斜面１００ｂを形成している。
【００２９】
一方、引出し５の鏡板５３の左右両端部における背面５３ａから後方に向けて、前記傾斜面１００ｂと平行をなす傾斜面５６を形成している。
【００３０】
そして、引出し５を押し込んだ際にこれらの傾斜面１００ｂ、５６同士を当接させ、かつ側板１の前端面１００ａを鏡板５３が完全には覆わないようにして、一部において前方（図１３における矢印Ｘ方向）に表出させた左右の側板１の前端面１００ａ、１００ａ間に鏡板５３を位置づけるようにしている。換言すれば、引出し５を押し込んでも筐体Ａを構成する側板１の前端面１００ａが前方から視認可能な状態となる。本実施形態の傾斜面５６は内部に中空部５６ａを成形したブロック体状のものであるが、水平板状のリブによって傾斜面５６を形成することも勿論可能である。
【００３１】
なお、ここに言う硬質、軟質は相対的な硬さを表したものである。また、側板１、頂板２、底板３及び背板４の内面には必要に応じて適宜のリブを設けるようにするとよい。
【００３２】
以上のようにして、本実施形態の引出し付整理箱は、頂板２、底板３及び左右の側板１を具備する筐体Ａの内部に収納空間Ｓを形成し、この収納空間Ｓに引出し５を出し入れ可能に支持させたものである。そして、側板１の前端面１００ａの少なくとも一部に、側板１の外面側から内面側に向けて斜め後方に傾斜する傾斜面１００ａを形成するとともに、引出し５の鏡板５３の左右両端部における背面側に、前記傾斜面１００ａと平行をなす傾斜面５６を形成し、引出し５を押し込んだ際にこれらの傾斜面１００ａ、５６同士を当接させて、鏡板５３の前面を前方に表出する左右の側板１の前端面１００ａ、１００ａ間に位置づけるようにしている。
【００３３】
このように構成すると、引出し５を押し込む際に、傾斜面１００ａ、５６同士のガイド作用によって引出し５が筐体Ａの中心部に誘導されるため、無造作に操作しても複数の引出し５を整然と配列することができ、しかも傾斜面１００ａ、５６同士がテーパ係合するため、ガタつきのない良好な収納状態を実現することができる。特に引出し付整理箱は机上を始めとして目立ち易い位置に配置され、頻繁に使用されるため、本発明による効果は極めて大きいものである。その上、引出し５を押し込んでも左右の側板１の前端面１００ａが前方に表出した状態にあるため、当該前端面１００ａとの位置関係から適切な押し込み位置にあるか否かが一目で了知でき、出し入れ操作を的確な操作感の下に行うことが可能となる。
【００３４】
特に、側板１を、硬質素材からなる側板部材１０と、この側板部材１０の前縁に沿って取り付けた軟質素材からなる平断面略三角形状の当接部材１００とから構成し、この当接部材１００の傾斜面１００ｂに硬質素材からなる引出し５の傾斜面５６を当接させるようにしているため、側板部材１０及び引出し５は剛性の高いものであっても、これらが直接接触することによる異音の発生を効果的に防止することができ、安っぽい使用感を払拭することが可能となる。
【００３５】
また、上記硬質素材と軟質素材を樹脂製のものとしているため、成形で簡単に量産することが可能となる。
【００３６】
なお、各部の具体的な構成は、上述した実施形態のみに限定されるものではない。
【００３７】
例えば、引出しを、硬質素材からなる引出し本体と、この引出し本体の左右両端部における後向き面に取り付けた軟質素材からなる平断面略三角形状の当接部材とから構成し、この当接部材の傾斜面を硬質素材からなる側板の傾斜面に当接させるようにしても、上記実施形態と同様の効果が奏される。
【００３８】
勿論、この場合にも硬質素材と軟質素材を樹脂製のものとすることで、量産性を有効に高めることが可能となる。
【００３９】
その他の構成も、本発明の趣旨を逸脱しない範囲で種々変形が可能である。
【図面の簡単な説明】
【００４０】
【図１】本発明の一実施形態を示す斜視図。
【図２】同分解斜視図。
【図３】同実施形態における頂板と側板の係合構造を示す部分分解斜視図。
【図４】図３に対応した部分組立斜視図。
【図５】同実施形態における底板と側板の係合構造を示す部分分解斜視図。
【図６】図５に対応した部分組立斜視図。
【図７】同実施形態における頂板と側板のコーナー部分を示す部分側断面図。
【図８】同実施形態における底板と側板のコーナー部分を示す部分側断面図。
【図９】同実施形態における頂板と側板のコーナー部分を示す部分正断面図。
【図１０】同実施形態における底板と側板のコーナー部分を示す部分正断面図。
【図１１】図７及び図９に対応した部分分解斜視図。
【図１２】図８及び図１０に対応した部分分解斜視図。
【図１３】同実施形態における引出しの部分平断面図。
【図１４】同実施形態における引出しとレールの関係を示す部分側断面図。
【図１５】同実施形態の頂板及び底板を共用した高さ違いの収納装置ユニットを示す図。
【符号の説明】
【００４１】
Ａ…筐体
Ｓ…収納空間
１…側板
２…頂板
３…底板
５…引出し
１０…側板部材
５３…鏡板
５６…傾斜面
１００…当接部材
１００ａ…前端部
１００ｂ…傾斜面
【図１】
2006271556.tif 000003
【図２】
2006271556.tif 000004
【図３】
2006271556.tif 000005
【図４】
2006271556.tif 000006
【図５】
2006271556.tif 000007
【図６】
2006271556.tif 000008
【図７】
2006271556.tif 000009
【図８】
2006271556.tif 000010
【図９】
2006271556.tif 000011
【図１０】
2006271556.tif 000012
【図１１】
2006271556.tif 000013
【図１２】
2006271556.tif 000014
【図１３】
2006271556.tif 000015
【図１４】
2006271556.tif 000016
【図１５】
2006271556.tif 000017